(57)【特許請求の範囲】
【請求項１】
コンデンサが組み込まれたコンデンサ付きコネクタであって、
ハウジングに保持された端子金具と前記コンデンサのリード線とが接続され、
前記コンデンサの本体から突出した前記リード線の付け根の周囲に、空間が広がって形成され、
前記コンデンサは、柱状をなすコンデンサ本体と、その軸方向の一端面である突出端面から導出されたリード線とを備え、
前記ハウジングは、内側に前記コンデンサ本体を収容するコンデンサ収容壁を有し、
前記コンデンサ収容壁は、筒状をなして前記コンデンサ本体の周囲を囲う筒状部と、前記突出端面に沿うように前記筒状部の軸方向の一端側に設けられた端壁部とを有し、
前記コンデンサ収容壁の前記端壁部には、前記リード線を外側に挿通するリード線挿通孔が貫通形成され、前記リード線と前記端子金具とは前記コンデンサ収容壁の外側において接続されており、
前記コンデンサ本体の前記突出端面と、前記コンデンサ収容壁のうち前記突出端面と対向する対向面とが、その間に設けられたスペーサ部によって離間し、前記突出端面と前記対向面との間に前記空間が形成され、
前記コンデンサ収容壁には、前記筒状部と前記端壁部との間の角部において、前記空間を前記コンデンサ収容壁の外側に開放する開放窓部が形成されているコンデンサ付きコネクタ。
【請求項２】
前記リード線挿通孔の内径寸法は、前記リード線の外径寸法よりも一回り大きく設定されている請求項１に記載のコンデンサ付きコネクタ。
【請求項３】
前記リード線は前記コンデンサ本体の前記突出端面から前記軸方向に突出するものとされ、
前記コンデンサは、前記筒状部のうち前記端壁部とは反対側の開口から、前記リード線を先方にして収容可能とされ、
前記リード線挿通孔と、前記端子金具のうち前記リード線と接続する接続部との間には、前記リード線を前記リード線挿通孔から前記接続部の一面側に誘導する誘導部が設けられている請求項１または請求項２に記載のコンデンサ付きコネクタ。
【請求項４】
前記誘導部は、前記リード線と前記端子金具の接続部とが重なり合う方向に弾性変形可能とされている請求項３に記載のコンデンサ付きコネクタ。
【発明の詳細な説明】
【技術分野】
【０００１】
本発明は、コンデンサ付きコネクタに関する。
【背景技術】
【０００２】
従来、例えば自動車等に搭載された電気・電子機器等のノイズを除去するためのコネクタとして、コンデンサが組み込まれたコンデンサ付きコネクタが知られている。この種のコンデンサ付きコネクタとして、ケース状をなすハウジングの内部で端子金具とコンデンサのリード線とを接続し、そこにエポキシ樹脂等を充填してコンデンサを封止するものが知られている（例えば下記特許文献１に記載）。
【先行技術文献】
【特許文献】
【０００３】
【特許文献１】特開２００１−２３８６０号公報
【発明の概要】
【発明が解決しようとする課題】
【０００４】
ところで、コンデンサは、通常、内部に備えられたゴム栓等によって、電解液が外部に漏れ出さない構造を備えている。しかしながら、例えばゴム栓の劣化等、何らかの原因によって、電解液が外部に漏れ出すことは考えられる。そして、万が一コンデンサの電解液が漏れ出した場合には、上記のような構成のコンデンサ付きコネクタにおいては、リード線の付け根部分に電解液が付着して留まる虞があり、電解液がリード線に付着して留まると、リード線が腐食する等の事態を生じる虞があるので対策が望まれていた。
【０００５】
本発明は上記のような事情に基づいて完成されたものであって、万が一コンデンサの電解液が漏れ出したとしても、電解液がリード線に付着して留まることを防ぐことができるコンデンサ付きコネクタを提供することを目的とする。
【課題を解決するための手段】
【０００６】
本発明は、コンデンサが組み込まれたコンデンサ付きコネクタであって、ハウジングに保持された端子金具と前記コンデンサのリード線とが接続され、前記コンデンサの本体から突出した前記リード線の付け根の周囲に、空間が広がって形成され、前記コンデンサは、柱状をなすコンデンサ本体と、その軸方向の一端面である突出端面から導出されたリード線とを備え、前記ハウジングは、内側に前記コンデンサ本体を収容するコンデンサ収容壁を有し、前記コンデンサ収容壁は、筒状をなして前記コンデンサ本体の周囲を囲う筒状部と、前記突出端面に沿うように前記筒状部の軸方向の一端側に設けられた端壁部とを有し、前記コンデンサ収容壁の前記端壁部には、前記リード線を外側に挿通するリード線挿通孔が貫通形成され、前記リード線と前記端子金具とは前記コンデンサ収容壁の外側において接続されており、前記コンデンサ本体の前記突出端面と、前記コンデンサ収容壁のうち前記突出端面と対向する対向面とが、その間に設けられたスペーサ部によって離間し、前記突出端面と前記対向面との間に前記空間が形成され、前記コンデンサ収容壁には、前記筒状部と前記端壁部との間の角部において、前記空間を前記コンデンサ収容壁の外側に開放する開放窓部が形成されているものである。このような構成によれば、万が一コンデンサから電解液が漏れ出たとしても、その電解液はリード線の付け根の周囲に形成された空間に広がり、リード線から離れる。したがって、リード線に電解液が付着して留まることを防ぐことができる。
【０００７】
また、コンデンサ収容壁の内側にコンデンサ本体を収容することで、コンデンサと端子金具とを所定の位置関係で保持することができ、かつリード線に電解液が付着して留まることを防ぐことができる。
【０００８】
また、リード線の付け根の周囲に形成された空間を、より広くすることができる。
【０００９】
また、前記リード線挿通孔の内径寸法は、前記リード線の外径寸法よりも一回り大きく設定されているものとしてもよい。このような構成によれば、コンデンサ収容壁の内側にコンデンサ本体を収容することで、コンデンサと端子金具とを所定の位置関係で保持することができ、かつリード線に電解液が付着して留まることを防ぐことができる。
【００１０】
また、前記リード線は前記コンデンサ本体の前記突出端面から前記軸方向に突出するものとされ、前記コンデンサは、前記筒状部のうち前記端壁部とは反対側の開口から、前記リード線を先方にして収容可能とされ、前記リード線挿通孔と、前記端子金具のうち前記リード線と接続する接続部との間には、前記リード線を前記リード線挿通孔から前記接続部の一面側に誘導する誘導部が設けられているものとしてもよい。
このような構成によれば、リード線が端子金具に突き当たることなく、その接続部の一面側に配されるから、リード線が端子金具に突き当たって曲がる等を防止することができ、リード線と端子金具とを良好に接続することができる。
【００１１】
また、前記誘導部は、前記リード線と前記端子金具の接続部とが重なり合う方向に弾性変形可能とされているものとしてもよい。このような構成によれば、誘導部がリード線の変形に追従するから、誘導部が、端子金具とリード線との良好な接続を阻害する事態を防ぐことができる。
【発明の効果】
【００１２】
本発明によれば、万が一コンデンサの電解液が漏れ出したとしても、電解液がリード線に付着して留まることを防ぐことが可能なコンデンサ付きコネクタを提供することができる。
【図面の簡単な説明】
【００１３】
【図１】本実施形態におけるコンデンサ付きコネクタを示す平面図
【図２】コンデンサ付きコネクタを示す側面図
【図３】コンデンサが収容されていない状態のハウジングを示す背面図
【図４】コンデンサが収容されていない状態のハウジングを示す断面図
【図５】コンデンサが収容されていない状態のハウジングを示す断面図であって、図４のＡ−Ａ位置における断面に相当する断面図
【図６】ハウジングにコンデンサを収容する様子を示す平断面図
【図７】ハウジングにコンデンサが収容された状態を示す平断面図
【図８】ハウジングにコンデンサを収容する様子を示す縦断面図
【図９】ハウジングにコンデンサが収容された状態を示す縦断面図
【発明を実施するための形態】
【００１４】
以下、本発明を具体化した一実施形態について、図１〜図９を参照しつつ詳細に説明する。
本実施形態におけるコンデンサ付きコネクタＣは、自動車などに搭載される電気・電子機器などから導出される図示しない複数の電線を、一括して接続するジョイントコネクタである。このコンデンサ付きコネクタＣは、複数の端子部１１を有する正極側および負極側のジョイント端子（端子金具）１０を有し、この正負のジョイント端子１０の間に、コンデンサ２０が介設されている。以下、各構成部材において、図１の右側（コンデンサ付きコネクタＣにおいて図示しない相手側コネクタとの嵌合面側）を前方、その反対側を後方とし、また、図２の上側を上方、下側を下方として説明する。
【００１５】
ジョイント端子１０は、金属等の導電性の板材を打ち抜いて、曲げ加工等を施すことで成形されている。ジョイント端子１０は、タブ状をなす複数の端子部１１と、これらを連結する帯状連結部１２（図８および図９参照）とを有し、端子部１１は、帯状連結部１２の一側縁に所定のピッチで並んで突設されている。各端子部１１は、図示しない相手側コネクタに保持された端子金具と接続する。
【００１６】
また、ジョイント端子１０には、帯状連結部１２のうち端子部１１とは反対の縁に、延出部１３が形成され、その延出部１３の先端部が、コンデンサ２０のリード線２２と接続される接続部１４とされている。延出部１３は、帯状連結部１２から略直角方向に延出している。
【００１７】
一対のジョイント端子１０は、図２に示すように、ハウジング３０の厚さ方向（高さ方向）に２段に並べて配置されている。なお、上段側に配置されたジョイント端子１０を第一ジョイント端子１０Ａ、下段側に配置されたジョイント端子１０を第二ジョイント端子１０Ｂと称する。
【００１８】
第一ジョイント端子１０Ａの延出部１３（第一延出部１３Ａと称する）は、その全長にわたり段差がない平坦なものとされている（図８参照）。一方、第二ジョイント端子１０Ｂの延出部１３（第二延出部１３Ｂと称する）は、その先端部が第一延出部１３Ａと略同一高さに配されるべく、長さ方向の途中の位置において２度直角曲げされている。すなわち第二延出部１３Ｂは、その長さ方向の途中の位置において上方に屈曲された後、第一延出部１３Ａと同一高さの位置において、さらに先方に屈曲されている。
【００１９】
第一延出部１３Ａと第二延出部１３Ｂとは、図７に示すように、ハウジング３０の幅方向に一定の間隔をあけて配置され、第二延出部１３Ｂの先端部（第二接続部１４Ｂと称する）が、第一延出部１３Ａの先端部（第一接続部１４Ａと称する）よりも先方に突出している。これにより、第一接続部１４Ａと第二接続部１４Ｂとは、前後方向に所定の間隔をあけて配置される。なお、第二接続部１４Ｂは、幅方向の内側（第一接続部１４Ａ側）に略直角に曲がった形状に打ち抜かれている。
【００２０】
コンデンサ２０は、アルミ電解コンデンサであって、円柱形状をなすコンデンサ本体２１と、その前端面（軸方向の一端面、突出端面）２３から導出された正負一対のリード線２２とを備えている。リード線２２は丸ピン形状をなし、コンデンサ本体２１の前端面２３から略垂直方向（コンデンサ本体２１の軸方向）に突出し、その先端部がジョイント端子１０の接続部１４に接続されている。一対のリード線２２は、所定の間隔をあけて配され、そのうちの一方が、他方よりも長い寸法とされている。
【００２１】
ハウジング３０は合成樹脂製であって、全体として前後方向に細長い形状をなし、その前端部がジョイント端子１０を保持する端子保持部３１とされ、後端部がコンデンサ２０を保持するコンデンサ保持部３２とされている。そして、ハウジング３０のうち端子保持部３１とコンデンサ保持部３２との間の部分が、ジョイント端子１０とコンデンサ２０との接続がなされるコンデンサ接続部３３とされている。なお、コンデンサ保持部３２は、ハウジング３０の幅方向の略中央に位置している。
【００２２】
端子保持部３１は、ハウジング３０の幅方向に長い壁状をなし、ジョイント端子１０の帯状連結部１２が内部に埋設されている。そして、端子保持部３１の前側面３１Ａからジョイント端子１０の端子部１１が前方に並んで突出し、端子保持部３１の後側面３１Ｂからジョイント端子１０の延出部１３が後方に延出している。
【００２３】
コンデンサ保持部３２は、内側にコンデンサ本体２１を収容するコンデンサ収容壁３４を有している。コンデンサ収容壁３４は、図９に示すように、筒状をなしてコンデンサ本体２１の周囲を囲う筒状部３４Ａと、コンデンサ本体２１の前端面２３に沿うように筒状部３４Ａの軸方向の一端側に設けられた端壁部３４Ｂとを有している。
【００２４】
筒状部３４Ａは、コンデンサ本体２１の外周面に沿う円筒形状をなし、縦向き（軸線が端子部１１の突出方向と一致する向き）に形成されている。筒状部３４Ａは後方に開口しており、後端部がコンデンサ２０の出入口３５とされている。
【００２５】
端壁部３４Ｂは、図５に示すように、筒状部３４Ａの幅方向の略中央において、筒状部３４Ａの上端から下端にわたって設けられた壁であり、筒状部３４Ａの幅方向の両端を残した略全体を塞いでいる。端壁部３４Ｂには、図７に示すように、リード線２２をコンデンサ収容壁３４の外側に挿通するリード線挿通孔３６が、前後方向に貫通形成されている。リード線挿通孔３６は、コンデンサ２０の正負一対のリード線２２を個別に挿通するべく、一対が所定の間隔をあけて配されている。各リード線挿通孔３６の内径寸法は、リード線２２の外径寸法よりも一回り大きく設定され、リード線挿通孔３６とリード線２２との間には、電解液を排出可能な大きさの隙間（排出空間Ｓ３と称する）が形成されている。なお、一対のリード線挿通孔３６は、略同一高さに位置している。
【００２６】
端壁部３４Ｂには、コンデンサ本体２１の前端面２３と、端壁部３４Ｂの後側面（前端面２３と対向する対向面）３７との間を離間した状態に保持するスペーサ部３８が突設されている。このスペーサ部３８にコンデンサ本体２１の前端面２３が突き当たることで、コンデンサ収容壁３４の内側に収容されたリード線２２の付け根の周囲には、内空間Ｓ２が形成されている。
【００２７】
スペーサ部３８は、図３に示すように、一対のリード線挿通孔３６の間に位置し、上下方向に長い壁状をなして、一対のリード線挿通孔３６の間を分断している。スペーサ部３８の突出寸法は、全体にわたり略一定とされ、スペーサ部３８の幅寸法は、突出方向に若干狭まるようにされている。スペーサ部３８のうちリード線挿通孔３６と略同一高さの位置には、逃げ部３８Ａが凹み形成されている。逃げ部３８Ａは、スペーサ部３８の両側に設けられている（図４参照）。
【００２８】
コンデンサ収容壁３４には、内空間Ｓ２を、コンデンサ収容壁３４の外側に開放する開放窓部３９が形成されている。これにより、内空間Ｓ２が、外空間Ｓ１に連なるように広げられている。開放窓部３９は、筒状部３４Ａと端壁部３４Ｂとの間の角部において、コンデンサ収容壁３４を内外方向に貫通する開口である。開放窓部３９は、コンデンサ収容壁３４の幅方向の両側に設けられている。開放窓部３９は、図２に示すように、コンデンサ収容壁３４の上下方向の中央部に位置して、上下方向に細長く開口している。
【００２９】
コンデンサ接続部３３は、幅方向の両側を覆う一対の側壁部４１を有している。一対の側壁部４１は、互いに略平行をなして対向している。一対の側壁部４１は、その前端と後端とが、それぞれ端子保持部３１とコンデンサ保持部３２とに連結されている。詳しくは、各側壁部４１の前端は、端子保持部３１の後側面３１Ｂに連結され、各側壁部４１の後端は、コンデンサ保持部３２の下側に設けられた連結部４２に連結されている。連結部４２は、コンデンサ保持部３２の両側から前方に延びている。
【００３０】
コンデンサ接続部３３には、一対の側壁部４１と端子保持部３１とコンデンサ保持部３２とに囲まれた空間（外空間Ｓ１と称する）が形成されている。外空間Ｓ１は上下方向に開放されている。また、図２に示すように、側壁部４１の後端は、コンデンサ収容壁３４の端壁部３４Ｂよりも前側に位置し、開放窓部３９の側方は、側壁部４１に覆われることなく開放されている。なお、コンデンサ接続部３３には樹脂等が充填されず、コンデンサ付きコネクタＣに装着される図示しないカバーにより、外側が覆われるものとされている。
【００３１】
コンデンサ保持部３２の前側には、リード線挿通孔３６からジョイント端子１０の接続部１４の上面側に、リード線２２を誘導する誘導部４３が設けられている（図８および図９を参照）。誘導部４３は、コンデンサ収容壁３４と一体に形成され、端壁部３４Ｂから前方に片持ち状に突出している。誘導部４３の幅寸法は全体として略一定とされ、図７に示すように、端壁部３４Ｂの幅寸法よりも若干小さい寸法とされている。誘導部４３の幅方向の両側には、前後方向に細長いスリット４４が形成され、誘導部４３と連結部４２とが切り離されている。誘導部４３は、上下方向（リード線２２とジョイント端子１０の接続部１４とが重なり合う方向）に弾性変形可能とされている。
【００３２】
誘導部４３は、端壁部３４Ｂの下端部から前方に突出する脚部４３Ａと、脚部４３Ａの前端から上方に立ち上がる胴部４３Ｂと、胴部４３Ｂの上端から前方に突出する頭部４３Ｃとを有している。
【００３３】
脚部４３Ａは、連結部４２と同等の高さ位置に配され、連結部４２よりも厚さ寸法（上下方向の寸法）が小さく（半分程度）されている。胴部４３Ｂは、端壁部３４Ｂと略平行をなして対向している。頭部４３Ｃの上面は、リード線挿通孔３６およびジョイント端子１０の接続部１４の上面の高さ位置と整合する位置に配され、リード線挿通孔３６から前方へ突出したリード線２２を、下側から受ける受け部４５とされている。受け部４５には、各リード線２２の外形に沿って凹む一対の受け溝４６が形成されている。各受け溝４６は、リード線挿通孔３６側からジョイント端子１０の接続部１４側まで直線状に延びている。各受け溝４６の後端部には、リード線２２を受け溝４６内に導くテーパ部４７が形成されている。
【００３４】
次に、ハウジング３０に保持されたジョイント端子１０と、コンデンサ２０のリード線２２とを接続する作業について説明する。
まず、ジョイント端子１０が保持されたハウジング３０に、コンデンサ２０を取り付ける。リード線２２を前方（先方）にして、コンデンサ２０をコンデンサ収容壁３４の出入口３５に挿入する。すると、一対のリード線２２が、図６に示すように、長い側から順番にリード線挿通孔３６に突入し、やがてリード線挿通孔３６を通過して前方に突出する。さらに、コンデンサ２０を前進させると、リード線挿通孔３６を通過したリード線２２が、長い方から順番に誘導部４３の受け溝４６内に導かれ、下側が受け部４５に受けられた状態になる。さらにコンデンサ２０を前進させると、受け部４５に受けられたリード線２２は下方へ撓むことなく直進し、やがてジョイント端子１０の接続部１４の上側に配され、接続部１４の上面に接触した状態になる（図９参照）。なお、一対のリード線２２のうちの一方は、第一接続部１４Ａに対してその幅方向の真ん中に配され、他方は、第二接続部１４Ｂに対して、その内側に突出した部分の全体を横切って配される。
【００３５】
次いで、上下に重なって配されたリード線２２とジョイント端子１０の接続部１４とを、抵抗溶接によって接続する。これにより、ハウジング３０に保持されたジョイント端子１０と、コンデンサ２０のリード線２２との接続作業が完了する。
【００３６】
上記のように構成された本実施形態によれば、以下の効果を奏する。
本実施形態のコンデンサ付きコネクタＣは、コンデンサ本体２１から突出したリード線２２の付け根の周囲に、内空間Ｓ２および外空間Ｓ１が広がって形成されている。
【００３７】
したがって、万が一コンデンサ２０から電解液が漏れ出た場合には、電解液は、内空間Ｓ２に広がってリード線２２から離れ、さらに開放窓部３９からコンデンサ収容壁３４の外側に排出され、もしくはリード線挿通孔３６の排出空間Ｓ３から外側に排出され、外空間Ｓ１に広がってリード線２２から離れる。このように、万が一コンデンサ２０から電解液が漏れ出たとしても、その電解液はリード線２２の付け根の周囲に形成された内空間Ｓ２または外空間Ｓ１に広がり、リード線２２から離れる。したがって、リード線２２に電解液が付着して留まることを防ぐことができる。
【００３８】
また、リード線挿通孔３６と、ジョイント端子１０の接続部１４との間には、リード線２２をリード線挿通孔３６からジョイント端子１０の接続部１４の上面側に誘導する誘導部４３が設けられている。これにより、リード線２２がジョイント端子１０に突き当たることなく、その接続部１４の上面側に配される。ここで、リード線２２は、比較的柔らかくて変形しやすいから、ジョイント端子１０に突き当たると曲がってしまう虞があり、そうすると、リード線２２と接続部１４とを密着させて固着することが困難になる。しかしながら、本実施形態の構成によれば、リード線２２は誘導部４３によって接続部１４の上面側に誘導されるから、そのような事態を防止することができ、リード線２２とジョイント端子１０とを良好に接続することができる。
【００３９】
また、誘導部４３は、リード線２２とジョイント端子１０の接続部１４とが重なり合う方向に弾性変形可能とされている。ここで、例えば、誘導部が上下方向に弾性変形しない場合には、接続部の上面側に配されたリード線を固着する際、リード線を屈曲させなければならない事態が起こりうる。また、リード線とジョイント端子とを接続した後に、例えばコンデンサ付きコネクタが上下方向に振動等した場合には、誘導部によって上下方向の位置が固定されたリード線に対し、ジョイント端子の接続部が上下方向に振動し、固着部分に引き剥がし力を生じさせる虞がある。しかしながら、誘導部４３がリード線２２の変形に追従するから、そのような事態を防ぐことができ、誘導部４３が、ジョイント端子１０とリード線２２との良好な接続を阻害する事態を防ぐことができる。
【００４０】
＜他の実施形態＞
本発明は上記記述及び図面によって説明した実施形態に限定されるものではなく、例えば次のような実施形態も本発明の技術的範囲に含まれる。
【００４１】
（１）上記実施形態では、コンデンサ２０のリード線２２は丸ピン形状をなしているが、これに限らず、例えば、コンデンサのリード線は角柱状等であってもよい。
（２）上記実施形態では、リード線２２とジョイント端子１０とが抵抗溶接によって溶着されているが、これに限らず、例えば、リード線とジョイント端子とを、レーザー溶接や半田付け等によって溶着してもよい。
（３）上記実施形態では、誘導部４３によって誘導されたリード線２２は、ジョイント端子１０の接続部１４の上面に接触した状態になるが、これに限らず、誘導部によって、リード線がジョイント端子の接続部よりも上方に誘導されれば、必ずしもその上面に接触しなくてもよく、この場合には、リード線をジョイント端子の接続部に固着する際に押し付けるようにすればよい。
（４）上記実施形態では、コンデンサ本体２１の前端面２３と端壁部３４Ｂの後側面３７とが、スペーサ部３８により離間した状態に保持されているが、これに限らず、例えば、スペーサ部の代わりに、コンデンサ収容壁の筒状部の途中位置に、コンデンサの前進を規制するストッパ部を設ける等することで、コンデンサ本体の前端面と端壁部の後側面との間を離間した状態に保持するものとしてもよい。
（５）上記実施形態では、誘導部４３は、端壁部３４Ｂに突設されているが、これに限らず、例えば、誘導部を、連結部や側壁部等に突設してもよい。
【符号の説明】
【００４２】
Ｃ…コンデンサ付きコネクタ
Ｓ１…外空間
Ｓ２…内空間
１０…ジョイント端子（端子金具）
１４…接続部
２０…コンデンサ
２１…コンデンサ本体（コンデンサの本体）
２２…リード線
２３…前端面（突出端面、一端面）
３０…ハウジング
３４…コンデンサ収容壁
３４Ａ…筒状部
３４Ｂ…端壁部
３６…リード線挿通孔
３７…後側面（対向面）
３８…スペーサ部
３９…開放窓部
４３…誘導部
【図１】
0005725353.tif 000002
【図２】
0005725353.tif 000003
【図３】
0005725353.tif 000004
【図４】
0005725353.tif 000005
【図５】
0005725353.tif 000006
【図６】
0005725353.tif 000007
【図７】
0005725353.tif 000008
【図８】
0005725353.tif 000009
【図９】
0005725353.tif 000010